(57)【要約】【課題】  ブリッジの傾斜しない吊持を容易に実践し得るのはもちろんのこと、既存のバトンの利用でブリッジの吊持を可能にする。【解決手段】  天井側からそれぞれの吊り材２１で昇降可能に垂下される複数本のバトン２に吊り手段３を介して吊持されるブリッジ１を有し、吊り手段３と複数本のバトン２との間にこの複数本のバトン２における吊持力を均等にするイコライザ４が配設され、このイコライザ４が間にプーリの配設を許容するように対向する一対の側板４１，４２間の上段側に等間隔に配設される三個のプーリ４３，４４，４５と、一対の側板４１，４２間の下段側に配設される二個のプーリ４６，４７と、両端が側板４１，４２側に連結されながら上段側および下段側の各プーリに順次巻装される巻装体４８とを有し、上段側に配設の三個のプーリ４３，４４，４５が上方からのそれぞれのバトン２に連結されながら側板４１，４２に上下動可能に保持されてなる。【選択図】  図１
2008146864.tif 000002
【特許請求の範囲】
【請求項１】
天井側からそれぞれの吊り材で昇降可能に垂下される複数本のバトンと、この複数本のバトンに吊り手段を介して吊持されるブリッジとを有してなるブリッジ装置において、吊り手段が一本構造に形成されると共に、この吊り手段と複数本のバトンとの間にこの複数本のバトンにおける吊持力を均等にするイコライザが配設されてなり、このイコライザが間にプーリの配設を許容するように対向する一対の側板と、この一対の側板間の上段側に等間隔に配設される三個のプーリと、上記の一対の側板間の下段側に配設される二個のプーリと、両端が側板側に連結されながら上段側および下段側の各プーリに順次巻装される巻装体とを有し、上段側に配設の三個のプーリが上方からのそれぞれのバトンに連結されながら側板に上下動可能に保持されてなることを特徴とするブリッジ装置。
【請求項２】
天井側からそれぞれの吊り材で昇降可能に垂下されるバトンにおける軸線方向が舞台の間口方向とされると共にブリッジの軸線方向がバトンの軸線方向と同一方向とされてなる請求項１に記載のブリッジ装置。
【請求項３】
吊り手段がイコライザの下端側に連結される吊り材とブリッジの上端に連結される吊り材とを分離可能に連結して可撓性を有する一本構造とされてなる請求項１に記載のブリッジ装置。
【請求項４】
ブリッジが歩廊となる底板を有すると共に、安全帯の分離可能な連結を可能にしながら歩廊に沿う移動が可能とされる安全帯用フックを有してなる請求項１に記載のブリッジ装置。
【発明の詳細な説明】
【技術分野】
【０００１】
この発明は、ブリッジ装置に関し、特に、劇場などの舞台上を照らす照明器具を保持しながら舞台上方の天井側から垂下されるバトンに吊り下げられるブリッジを有してなるブリッジ装置の改良に関する。
【背景技術】
【０００２】
近年の劇場などにあって、舞台上を照らす照明器具は、簀の子などを有する舞台上方の天井側から垂下されるバトンに吊り下げられるブリッジに保持されるとしており、そのため、このブリッジを有するブリッジ装置について種々の提案があるが、その中で、たとえば、特許文献１には、ブリッジが天井側から垂下される二本のバトンに分離可能に連結されて吊持されるとするブリッジ装置の提案が開示されている。
【０００３】
ちなみに、沿革的に看ると、バトンは、これが照明器具やその他の吊り物を吊り下げる、すなわち、いわゆる吊り物を吊持するとしていたが、その後、多数の照明器具を吊持でき、しかも、いわゆる舞台裏の作業者が内側に立ち入って、照明器具の向きなどの調整し得るものとしてブリッジが登場するに至った。
【０００４】
そして、このブリッジは、バトンではなく専用の吊り機構を利用して舞台の上方の天井側から吊持されるとしていたが、近年では、ブリッジの吊持にはバトンを利用することにして、ブリッジを有効な位置に必要な本数を任意に吊り下げるとし、特に、不使用時には、舞台の袖などに格納する、すなわち、使用時にバトンに吊持させるのが今後の主流となると考えられる。
【０００５】
それゆえ、この特許文献１に開示のブリッジ装置によれば、ブリッジの上端に天井側から垂下される二本のバトンを適宜の吊り材の利用下に連結することで、ブリッジの利用による舞台の照明を可能にし得るのはもちろんのこと、ブリッジの上端へのバトンの連結を実現する吊り材がブリッジに対してあるいはバトンに対して分離可能に連結されるとすることで、不使用時のブリッジをバトンから外し、舞台の袖などに移動させて格納することが可能になる。
【特許文献１】特開平９‐２６５８０４（明細書中の段落０００２、同０００７、図１および図２参照）
【発明の開示】
【発明が解決しようとする課題】
【０００６】
しかしながら、上記した特許文献１に開示のブリッジ装置にあっては、ブリッジがいわゆる軽量であるとき、取り上げて不具合を生じる訳ではないが、ブリッジがいわゆる重たくなるとき、些か問題があると指摘される可能性がある。
【０００７】
すなわち、ブリッジは、多数の照明器具の保持を可能にするのはもちろんであるが、そのための給電設備やケーブルなどの配設の他、作業者の立ち入りを可能にする機械的強度を有するように形成されるとしている。
【０００８】
そして、多くの場合に、ブリッジ自体の軽量化を図る目的でアルミ材を利用していわゆるフレーム構造に形成されるとしているが、それでも、空体の状態で１トンから１．５トンの重量になり、また、多数の照明器具を保持するなどしていわゆるフル装備の状態になると、ほぼ３トンから３．５トンもの重量になるとされている。
【０００９】
このことからすると、既存のバトン装置において、一本のバトンにおける吊持力を大きくしない限りには、二本のバトンで上記のブリッジを吊持するのは困難になり、また、バトンにおける吊持力を大きくするためには、バトンの機械的強度を上げることが必須とされることになる。
【００１０】
ちなみに、バトンの機械的強度を上げるとなると、バトン装置における経費面や管理面で不利になり易く、したがって、利用するバトンの本数を、たとえば、倍の四本にするなどして対応するのが現状とされている。
【００１１】
そして、利用するバトンの本数を四本にする場合には、たとえば、図６に示すように、ブリッジ１の上端に二つのプーリＰを保持させると共に、この二つのプーリＰにそれぞれ巻装される各吊り材Ｈの両端をそれぞれバトン２に連結する態勢とされることになる。
【００１２】
それゆえ、この四本のバトンを利用してブリッジを吊持する場合には、基本的には、各吊り材の長さが同一に設定されるであろうから、垂下される各バトンの高さ位置を同一にする、すなわち、バトンのレベルを同じにする作業、しかも、精緻な作業が必須になる不利があり、これが充足されない場合には、バトンがいわゆる傾斜する不具合が招来されることになる。
【００１３】
この発明は、このような現状を鑑みて創案されたものであって、その目的とするところは、既存のバトンの利用によるブリッジの吊持を可能にするのはもちろんのこと、利用するバトンの数をいたずらに多くさせずして、しかも、ブリッジを傾斜させずに吊持するのに最適となるブリッジ装置を提供することである。
【課題を解決するための手段】
【００１４】
上記した目的を達成するために、この発明によるブリッジ装置の構成を、基本的には、天井側からそれぞれの吊り材で昇降可能に垂下される複数本のバトンと、この複数本のバトンに吊り手段を介して吊持されるブリッジとを有してなるブリッジ装置において、吊り手段が一本構造に形成されると共に、この吊り手段と複数本のバトンとの間にこの複数本のバトンにおける吊持力を均等にするイコライザが配設されてなり、このイコライザが間にプーリの配設を許容するように対向する一対の側板と、この一対の側板間の上段側に等間隔に配設される三個のプーリと、上記の一対の側板間の下段側に配設される二個のプーリと、両端が側板側に連結されながら上段側および下段側の各プーリに順次巻装される巻装体とを有し、上段側に配設の三個のプーリが上方からのそれぞれのバトンに連結されながら側板に上下動可能に保持されてなるとする。
【発明の効果】
【００１５】
それゆえ、この発明にあって、イコライザが各バトンに連結される上段側の三個のプーリを側板に対して上下動可能に保持させるとするから、各プーリの上下動が許容される範囲内であるが、三本のバトンの高さ位置が三本とも区々となる場合であっても、各バトンにおける吊持力を均等にし得ることになり、その限りにおいて、三本のバトンにおける機械的強度の許容限度内でブリッジを吊持することが可能になる。
【００１６】
そして、この発明にあっては、ブリッジを吊持するバトンが三本とされるから、ブリッジを吊持するバトンが四本とされる場合に比較して、他の用途に利用できるバトンの数を保障し得ることになる。
【発明を実施するための最良の形態】
【００１７】
以下に、図示した実施形態に基づいて、この発明を説明するが、この発明によるブリッジ装置は、図１に示すように、使用時に劇場などの舞台における舞台床Ｆの上方の天井（図示せず）側から垂下されるバトン２に吊持され、不使用時に図１中で右部となる舞台の奥や図１中で正面部となる舞台の袖にいわゆる格納されるブリッジ１を有してなる。
【００１８】
そして、この発明によるブリッジ装置にあっては、図２にも示すように、上記のブリッジ１およびバトン２の他に、吊り手段３およびイコライザ４を有してなるとしている。
【００１９】
すなわち、この発明によるブリッジ装置にあって、まず、バトン２は、多数本とされて天井側からそれぞれの吊り材２１で昇降可能に垂下されるとしており、また、舞台の上方での配設状況についてだが、その軸線方向が舞台の間口方向となる、すなわち、図１中で左側となる客席側から看て舞台の左右方向に延在されるように配設されてなるとしている。
【００２０】
ちなみに、凡そバトンと称されるものには、この発明で言うバトンと異なり、図示しないが、舞台の間口方向の両端部となる袖の天井側に配設されるものがあり、この客席側から看ると軸線方向が言わば縦方向となるバトンにあっては、たとえば、客席から視線を遮る幕や横から舞台上を照らす照明やしようシリンダ内大道具を吊持する場合などに利用されるとしている。
【００２１】
また、凡そバトンと称されるものには、旧来から利用されている図２に示すようないわゆる単管からなるものの他に、図５に示すように、ラダーバトンと称されるものがあり、このラダーバトンにあっては、後述するイコライザ４を吊持する吊り材２２を掛け回せるようにする棒状に形成のホルダ部２３と、このホルダ部２３に連結される束状に形成の連結部２４と、この連結部２４に連結される棒状に形成の支持部２５と、を有してなり、全体として見ると、梯子状あるいはトラス状の態様を呈するとしている。
【００２２】
このように、バトン２がラダーバトンとされる場合には、単一のバトン２の負担過重を大きくすることが可能になり、したがって、バトン２が単管からなる場合には、どうしても本数が増えて、それに伴う不具合が多くなる不利があったことに比較して、コストや維持の面からしても有利なると言い得る。
【００２３】
なお、バトン２におけるホルダ部２３に掛け回される吊り材２２は、下端にフック２２ａを有していて、イコライザ４に対する分離可能な連結を実現し得るとし、また、支持部２５に天井側からの吊り材２１が連結されるとしている。
【００２４】
ところで、バトン２にブリッジ１を吊持させるとき、図示するところにあっては、バトン２の本数を三本としているが、この三本のバトン２は、図２に示すように、それぞれいわゆる左右となる一対の、すなわち、二本の吊り材２２を有してなるとしており、したがて、後述する吊り手段３およびイコライザ４についてもそれぞれ一対、すなわち、いわゆる二個配置とされるとしているが、以降の説明においては、便宜上、一方の吊り手段３やイコライザ４についてのみ説明する。
【００２５】
つぎに、上記のバトン２、すなわち、図示するところでは、複数本とされる三本のバトン２で吊持されるブリッジ１は、図４に示すように、舞台上、すなわち、舞台床Ｆの上方に広がる空間を照らす複数の照明器具Ｌを保持するとしている。
【００２６】
そして、このブリッジ１は、複数の照明器具Ｌを保持することからして、この複数の照明器具Ｌに接続されるケーブル（図示せず）や給電設設備（図示せず）を有するとしている。
【００２７】
また、このブリッジ１は、図４に示すように、照明器具Ｌのこのブリッジ１への取り付けや照明器具Ｌにおける向きの調整などの諸作業を実践するいわゆる裏方と称される作業者Ｈの底板１１からなる歩廊上への立ち入りを許容するとしている。
【００２８】
さらに、このブリッジ１は、上記したバトン２に吊持されて利用されるとき、その軸線方向が舞台の間口方向に沿う状態にされるとしており、このとき、多くの場合に、図示しないが、舞台の間口方向に直列する複数体が一体に連結されて利用されるとしている。
【００２９】
ちなみに、いわゆる単体のブリッジ１についての寸法であるが、図示するところでは、舞台の間口方向となる軸線方向の長さをほぼ５ｍにし、高さをほぼ２．５ｍにし、舞台の奥行き方向となるいわゆる厚さをほぼ６０ｃｍにするとしている。
【００３０】
以上からして、このブリッジ１は、所定数の照明器具Ｌの保持を可能にすると共に、ケーブルの配設や給電設備の配設、さらには、作業者Ｈの立ち入りを可能にする機械的強度を有するように形成されるとしており、多くの場合に、図３に示すように、いわゆるフレーム構造に形成されるとしている。
【００３１】
そして、ブリッジ１は、上記したように、底板１１を有して歩廊を形成すると共に、この歩廊に立ち入る作業者Ｈの身の安全を保障する安全帯（図示せず）の分離可能な連結を可能にする安全帯用フック１２を有してなるとしている。
【００３２】
ちなみに、安全帯用フック１２は、図示するところでは、このブリッジ１の上端部にあって、このブリッジ１の軸線方向に延在されるガイドレール１３（図３参照）に移動可能に保持されてなるとしている。
【００３３】
なお、このブリッジ１にあっては、歩廊上を作業者Ｈが安全に通行できるように、いわゆる腰高の高さ位置にあって、ブリッジ１の軸線方向に延びる手摺１４（図３参照）を有してなるとしている。
【００３４】
また、このブリッジ１にあっては、前記したように、不使用時には、舞台の奥や舞台の袖に格納されるとしているが、この格納の際には、ブリッジ１を舞台床Ｆ上で移動させるとしていることから、図３および図４に示すように、下端に適宜数のキャスタＣを分離可能に連結し得るとしている。
【００３５】
ちなみに、このキャスタＣについては、ブリッジ１の下端に固定的に、すなわち、分離できないように保持されてなるとしても良いが、ブリッジ１を吊り上げて使用する使用時には、いわゆる邪魔になることが予想されるであろうから、分離可能にブリッジ１の下端に連結されてなるとするのが好ましいであろう。
【００３６】
吊り手段３は、原理的には、後述するイコライザ４を介して上記のブリッジ１を吊持する手段であり、その意味からすれば、任意の構成に設定されて良いが、  前記したように、ブリッジ１が不使用時にはバトン２から分離されていわゆる格納されること、および、使用時にはバトン２に吊持されて鉛直に垂下されることを鑑みて、この吊り手段３にあっては、まず、一本構造に形成されるとしており、つぎに、いわゆる取り扱い易さの上から、可撓性を有するように形成されてなるとしている。
【００３７】
そして、この吊り手段３は、図示するところでは、図５に示すように、上方側の吊り材たるチェーン３１と、下方側の吊り材たるワイヤ３２とが分離可能に連結されてなるとし、このとき、チェーン３１は、上端がイコライザ４にいわゆる固定的に連結され、下端にフック３１ａを有してなるとしている。
【００３８】
それに対して、ワイヤ３２は、下端がブリッジ１の上端のブラケット１５にいわゆる固定的に連結されてなる（図４参照）とし、上端が上記のフック３１ａの分離可能な連結を具現化するためにループ状に形成されてなるとしている。
【００３９】
このように、この吊り手段３にあって、上方側をチェーン３１にし、下方側をワイヤ３２にする一本構造に形成されることで、吊り上げられて使用状態におかれるブリッジ１は、自然に傾斜することなく垂下されることになる。
【００４０】
そして、この吊り手段３にあって、上方側をチェーン３１にし、下方側をワイヤ３２にする場合には、不使用のブリッジ１を舞台床Ｆ上に降ろしてバトン２から分離するとき、すなわち、図示するところでは、イコライザ４から分離するとき、チェーン３１は、これを垂下した状態のままに維持することが可能になると共に、ワイヤ３２にあっては、チェーン３１と分離された上端側を舞台床Ｆ側に降ろすようにすることが可能になる。
【００４１】
それゆえ、このことからすると、この吊り手段３にあっては、図示しないが、舞台床Ｆ上に立つ作業者Ｈがチェーン３１とワイヤ３２との連結の実行する際、あるいは、分離を実行する際の操作性に優れることになる点で有利となる。
【００４２】
イコライザ４は、図５に示すように、一対の側板４１，４２と、上段側の複数個の、すなわち、三個のプーリ４３，４４，４５および下段側の複数個の、すなわち、二個のプーリ４６，４７と、巻装体４８とを有してなる。
【００４３】
一対の側板４１，４２は、間にプーリ４３，４４，４５，４６，４７の配設を許容するように対向し、なおかつ、下段側の二個のプーリ４６，４７については、これを枢着させ、上段側の三個のプーリ４３，４４，４５については、これを上下動可能に保持するとしている。
【００４４】
そして、一対の側板４１，４２は、前記したように、下端中央に吊り手段３におけるチェーン３１の上端の固定的な連結を許容する、すなわち、簡単に分離されない構造に連結させるとしている。
【００４５】
つぎに、三個のプーリ４３，４４，４５は、一対の側板４１，４２間の上段側に等間隔に配設され、それぞれの軸４３ａ，４４ａ，４５ａの両端が、一部図示しないが、側板４１，４２にそれぞれ開穿のガイド縦孔４１ａ，４２ａ，４１ｂ，４２ｂ，４１ｃ，４２ｃに挿通されるとしている。
【００４６】
それゆえ、この三個のプーリ４３，４４，４５にあっては、ガイド縦孔４１ａ，４２ａ，４１ｂ，４２ｂ，４１ｃ，４２ｃの長さの範囲内で一対の側板４１，４２に対して上下動し得ることになる。
【００４７】
そして、上記の軸４３ａ，４４ａ，４５ａの両端は、一部図示しないが、一対の側板４１，４２に外側から隣接される一対の帯状のブラケット４３ｂ，４３ｃ，４４ｂ，４４ｃ，４５ｂ，４５ｃに連結されていて、このブラケット４３ｂ，４３ｃ，４４ｂ，４４ｃ，４５ｂ，４５ｃの上下動に同期して上下動するとしている。
【００４８】
そしてさらに、このブラケット４３ｂ，４３ｃ，４４ｂ，４４ｃ，４５ｂ，４５ｃが前記したバトン２における吊り材２２にフック２２ａの利用下に分離可能に連結されるとしている。
【００４９】
ちなみに、三個のプーリ４３，４４，４５の配設間隔であるが、このイコライザ４にあっては、下段側の二個のプーリ４６，４７との間で巻装体４８を巻装させるとしているから、言わば下段側のプーリ４６，４７の巾とほぼ同じ寸法になる間隔を有するとしている。
【００５０】
一方、この下段側の二個のプーリ４６，４７は、前記したように、一対の側板間４１，４２に枢着されているが、このとき、上記の三個のプーリ４３，４４，４５の言わば間に配設される、すなわち、上下方向では離れているのはもちろんであるが、この上下方向で見ると、三個のプーリ４３，４４，４５の間に位置決められている態勢にあるとしている。
【００５１】
これは、前記したように、このイコライザ４にあっては、この二個のプーリ４６，４７には三個のプーリ４３，４４，４５との間で巻装体４８が巻装されるとしていることに基づく。
【００５２】
そして、巻装体４８は、両端が側板４１，４２側に連結されながら上段側および下段側の各プーリ４３，４４，４５および４６，４７に順次に、すなわち、図示するところでは、プーリ４３，４６，４４，４７，４５の順に巻装されるとしている。
【００５３】
ちなみに、この巻装体４８の長さは、図示するように、上段側のプーリ４３，４４，４５の軸４３ａ，４４ａ，４５ａがそれぞれのガイド縦孔４１ａ，４２ａ，４１ｂ，４２ｂ，４１ｃ，４２ｃに対して上下方向の中間部にある、すなわち、いわゆる中立状態にあるように維持できる長さに設定されている。
【００５４】
それゆえ、このイコライザ４にあっては、上記のガイド縦孔４１ａ，４２ａ，４１ｂ，４２ｂ，４１ｃ，４２ｃの範囲内で各プーリ４３，４４，４５が上下動できる状態にあることを条件にして、このイコライザ４に連結される各バトン２における吊持力を均等にし得ることになる。
【００５５】
このことからすれば、このイコライザ４を利用する場合には、一本のバトン２にのみ、あるいは、二本のバトン２にブリッジ１における総重量を負担させることがなく、各バトン２の機械的強度を超える荷重作用で各バトン２をいわゆる故障させるような不具合の発生をあらかじめ回避し得ることになる。
【００５６】
以上からすれば、この発明のイコライザ４にあっては、三本のバトン２を利用して、しかも、能力一杯にブリッジ１を吊り下げることを可能にするもので、ブリッジ１を吊持するバトン２が四本とされる場合に比較して、他の用途に利用できるバトン２の数を保障し得ることになる。
【００５７】
前記したところでは、この発明によるブリッジ装置において、イコライザ４が三本のバトン２に連結されてなるとしているが、この発明のブリッジ装置が意図するところは、複数本のバトン２における吊持力を均等にして、一本あるいは二本のバトン２が総重量を負担することの不具合を解消することにあるから、この観点からすれば、イコライザ４が二本のバトン２に連結される構成に設定されてなる、すなわち、図示しないが、上端側に二個のプーリを有し下段側に一個のプーリを有する構成に設定されてなるとしても良いと言い得ることになる。
【００５８】
そして、この場合には、ブリッジ１が軽量に形成されている場合におりように便利となり、また、ブリッジ１以外の吊りものをバトン２に吊持させる場合の利用に便利となるであろう。
【図面の簡単な説明】
【００５９】
【図１】この発明によるブリッジ装置の劇場の舞台上での使用状態および格納状態を示す概略縦断面図である。
【図２】この発明によるブリッジ装置を示す概略斜視図である。
【図３】この発明によるブリッジ装置を構成するブリッジの正面図である。
【図４】図３に示すブリッジの側面図である。
【図５】この発明によるブリッジ装置を構成するイコライザを一部破談して示す正面図である。
【図６】従来のブリッジの吊持状態の一例を示す図である。
【符号の説明】
【００６０】
１  ブリッジ
２  バトン
３  吊り手段
４  イコライザ
１１  歩廊を構成する底板
１２  安全帯用フック
２１  吊り材
３１  吊り材たるチェーン
３２  吊り材たるワイヤ
４１，４２  側板
４３，４４，４５，４６，４７  プーリ
４８  巻装体
【図１】
2008146864.tif 000003
【図２】
2008146864.tif 000004
【図３】
2008146864.tif 000005
【図４】
2008146864.tif 000006
【図５】
2008146864.tif 000007
【図６】
2008146864.tif 000008